(57)【要約】【課題】画像データに関する処理により生じる利益を適正に分配することができる利益分配指示プログラム及び利益分配システム並びに利益分配方法の提供。【解決手段】ディスク作成プログラムなどを提供するアプリケーション提供者と、ユーザから提供された画像データとディスク作成プログラムとを記録媒体９に記録してユーザに提供する複数の媒体提供者と、ディスク作成プログラムを用いて他の記録媒体９ａに画像データを記録する制御装置１と、制御装置１から送信された利益分配指示情報を記憶管理サーバ１２と、を含み、制御装置１には、書き込み対象となる画像データが記録された記録媒体９の提供元を判別する手段と、他の記録媒体９ａが特定の記録媒体であるかを判別する手段と、上記提供元に対する利益の分配を規定する利益分配指示情報を作成して管理サーバ１２にアップロードする手段と、を備える。【選択図】図１
2007226404.tif 000002
【特許請求の範囲】
【請求項１】
特定のプログラムを用いて、記録媒体に記録された画像データが他の記録媒体に記録される場合において、
コンピュータを、
前記画像データが記録された前記記録媒体の提供元を判別する第１の判別手段、
前記他の記録媒体が、所定の識別情報を有する特定の記録媒体であるかを判別する第２の判別手段、
前記他の記録媒体が特定の記録媒体である場合に、前記提供元に対して、前記他の記録媒体を利用することによって生じる利益を分配するための利益分配指示情報を作成し、所定のサーバにアップロードする手段、として機能させることを特徴とする利益分配指示プログラム。
【請求項２】
特定のプログラムを用いて、記録媒体に記録された画像データが他の記録媒体に記録される場合において、
コンピュータを、
前記特定のプログラムの提供元を判別する第１の判別手段、
前記他の記録媒体が、所定の識別情報を有する特定の記録媒体であるかを判別する第２の判別手段、
前記他の記録媒体が特定の記録媒体である場合に、前記提供元に対して、前記他の記録媒体を利用することによって生じる利益を分配するための利益分配指示情報を作成し、所定のサーバにアップロードする手段、として機能させることを特徴とする利益分配指示プログラム。
【請求項３】
前記記録媒体には、予め該記録媒体の提供元を特定する情報が記録されており、
前記第１の判別手段では、前記情報に基づいて、前記提供元を判別することを特徴とする請求項１又は２に記載の利益分配指示プログラム。
【請求項４】
画像データと、特定のプログラム又は該特定のプログラムをインストールするためのデータと、が記録された記録媒体を提供する複数の提供元と、
前記記録媒体を利用する装置と、
前記画像データに関する処理によって生じる利益の分配を管理する所定のサーバと、を備える利益分配システムであって、
前記装置に、
前記記録媒体の提供元を判別する第１の判別手段と、
前記提供元に対して前記利益を分配するための利益分配指示情報を作成し、前記所定のサーバにアップロードする手段と、を少なくとも備えることを特徴とする利益分配システム。
【請求項５】
画像データと、特定のプログラム又は該特定のプログラムをインストールするためのデータと、が記録された記録媒体を提供する複数の提供元と、
前記特定のプログラムを用いて前記画像データを他の記録媒体に記録する装置と、
前記他の記録媒体を利用することによって生じる利益の分配を管理する所定のサーバと、を備える利益分配システムであって、
前記装置に、
前記記録媒体の提供元を判別する第１の判別手段と、
前記他の記録媒体が、所定の識別情報を有する特定の記録媒体であるかを判別する第２の判別手段と、
前記他の記録媒体が特定の記録媒体である場合に、前記提供元に対して前記利益を分配するための利益分配指示情報を作成し、前記所定のサーバにアップロードする手段と、を少なくとも備えることを特徴とする利益分配システム。
【請求項６】
画像データと、特定のプログラム又は該特定のプログラムをインストールするためのデータと、が記録された記録媒体を提供する複数の提供元と、
前記特定のプログラムを用いて前記画像データを他の記録媒体に記録する装置と、
前記他の記録媒体を利用することによって生じる利益の分配を管理する所定のサーバと、を備える利益分配システムであって、
前記装置に、
前記特定のプログラムの提供元を判別する第１の判別手段と、
前記他の記録媒体が、所定の識別情報を有する特定の記録媒体であるかを判別する第２の判別手段と、
前記他の記録媒体が特定の記録媒体である場合に、前記提供元に対して前記利益を分配するための利益分配指示情報を作成し、前記所定のサーバにアップロードする手段と、を少なくとも備えることを特徴とする利益分配システム。
【請求項７】
前記記録媒体には、予め該記録媒体の提供元を特定する情報が記録されており、
前記第１の判別手段では、前記情報に基づいて、前記提供元を判別することを特徴とする請求項４乃至６のいずれか一に記載の利益分配システム。
【請求項８】
画像データと、特定のプログラム又は該特定のプログラムをインストールするためのデータと、が記録された記録媒体を提供する複数の提供元と、前記記録媒体を利用する装置と、利益の分配を管理する所定のサーバと、を備えるシステムにおける利益分配方法であって、
前記画像データに関する処理を実行するステップと、
前記記録媒体の提供元を判別する第１の判別ステップと、
前記提供元に対して、前記画像データに関する処理によって生じる前記利益を分配するための利益分配指示情報を作成するステップと、
前記利益分配指示情報を前記所定のサーバにアップロードするステップと、を少なくとも有することを特徴とする利益分配方法。
【請求項９】
画像データと、特定のプログラム又は該特定のプログラムをインストールするためのデータと、が記録された記録媒体を提供する複数の提供元と、前記記録媒体を利用する装置と、利益の分配を管理する所定のサーバと、を備えるシステムにおける利益分配方法であって、
前記特定のプログラムを用いて前記画像データを他の記録媒体に記録するステップと、
前記記録媒体の提供元を判別する第１の判別ステップと、
前記他の記録媒体が、所定の識別情報を有する特定の記録媒体であるかを判別する第２の判別ステップと、
前記他の記録媒体が特定の記録媒体である場合に、前記提供元に対して、前記他の記録媒体を利用することによって生じる前記利益を分配するための利益分配指示情報を作成するステップと、
前記利益分配指示情報を前記所定のサーバにアップロードするステップと、を少なくとも有することを特徴とする利益分配方法。
【請求項１０】
画像データと、特定のプログラム又は該特定のプログラムをインストールするためのデータと、が記録された記録媒体を提供する複数の提供元と、前記記録媒体を利用する装置と、利益の分配を管理する所定のサーバと、を備えるシステムにおける利益分配方法であって、
前記特定のプログラムを用いて前記画像データを他の記録媒体に記録するステップと、
前記特定のプログラムの提供元を判別する第１の判別ステップと、
前記他の記録媒体が、所定の識別情報を有する特定の記録媒体であるかを判別する第２の判別ステップと、
前記他の記録媒体が特定の記録媒体である場合に、前記提供元に対して、前記他の記録媒体を利用することによって生じる前記利益を分配するための利益分配指示情報を作成するステップと、
前記利益分配指示情報を前記所定のサーバにアップロードするステップと、を少なくとも有することを特徴とする利益分配方法。
【請求項１１】
前記記録媒体に、予め該記録媒体の提供元を特定する情報を記録し、
前記第１の判別ステップでは、前記情報に基づいて、前記提供元を判別することを特徴とする請求項８乃至１０のいずれか一に記載の利益分配方法。
【発明の詳細な説明】
【技術分野】
【０００１】
本発明は、利益分配指示プログラム及び利益分配システム並びに利益分配方法に関し、特に、画像データを記録するための記録媒体の購入に対する利益を適切に分配するための利益分配指示プログラム及び利益分配システム並びに利益分配方法に関する。
【背景技術】
【０００２】
近年、写真画像に関する様々なサービスが提供されている。例えば、ミニラボ等の写真店にデジタルカメラやデジタルカメラ用メディアなどを持ち込むと、写真店では、デジタルカメラやメディアから画像データを読み取り、読み取った画像データを用いて写真プリントを作成したり、画像データをＣＤ−Ｒ、ＤＶＤ−Ｒなどの記録媒体に書き込んでユーザに提供するサービスを行っている（例えば、下記特許文献１参照）。
【０００３】
また、画像データや、該画像データをＤＶＤプレーヤやＤＶＤレコーダ、ＨＤＤレコーダ、ゲーム機などの家電機器でスライドショーとして再生するためのデータ（以下、家電機器用データと呼ぶ。）を記録媒体に書き込むディスク作成プログラムなどのアプリケーションを、画像データと共に記録媒体に書き込んでユーザに提供するサービスも行っている。
【０００４】
【特許文献１】特開２００３−２５００１６号公報（第３−６頁、第１図）
【発明の開示】
【発明が解決しようとする課題】
【０００５】
上記記録媒体を提供されたユーザは、自身で画像データを鑑賞する場合もあれば、その記録媒体に記録された画像データやディスク作成プログラムを用いて、他の記録媒体に画像データを記録して他のユーザに提供する場合もあり、後者の場合には、他の記録媒体を利用することによって利益が生み出されることから、その利益を、画像データを記録媒体に記録してユーザに提供する業者（以下、媒体提供者と呼ぶ。）やアプリケーションを作成して媒体提供者に提供する業者（以下、アプリケーション提供者と呼ぶ。）に適切に分配する必要がある。
【０００６】
ここで、複数の媒体提供者（例えば、Ａ社とＢ社）が存在する場合に、ユーザは、Ａ社の作成した記録媒体に記録された画像データを用いて他の記録媒体を作成する場合もあれば、Ｂ社が作成した記録媒体に記録された画像データを用いて他の記録媒体を作成する場合もある。また、ユーザは、アプリケーション提供者がＡ社に提供したアプリケーションを用いて他の記録媒体を作成する場合もあれば、Ｂ社に提供したアプリケーションを用いて他の記録媒体を作成する場合もあり、どのような形態で他の記録媒体が作成されるかによってその貢献度が異なる。
【０００７】
例えば、Ａ社が作成した記録媒体に記録された画像データやＡ社に提供されたアプリケーションを用いてユーザが他の記録媒体を作成した場合には、Ａ社は自身の貢献度が大きいと考え、Ｂ社が作成した記録媒体に記録された画像データやＢ社に提供されたアプリケーションを用いてユーザが他の記録媒体を作成した場合には、Ｂ社は自身の貢献度が大きいと考える。また、上記アプリケーションを用いてユーザが他の記録媒体を作成した場合には、アプリケーション自体が他の記録媒体の作成に貢献したと考えられることから、アプリケーション提供者は自身の貢献度が大きいと考える。
【０００８】
従って、他の記録媒体が利用されることによって生み出される利益は、各々の業者の貢献度に応じて分配されることが好ましいが、従来は、どのような形態で他の記録媒体が利用されたとしても各々の業者の貢献度は考慮されなかったため、媒体提供者やアプリケーション提供者に適正に利益を分配することができないという問題があった。また、上記問題は他の記録媒体に画像データを記録する場合に限らず、他の記録媒体を購入する場合やアプリケーションを購入する場合など、画像データに関する処理全般に対して同様に生じていた。
【０００９】
本発明は、上記問題点に鑑みてなされたものであって、その主たる目的は、画像データに関する処理により生じる利益をアプリケーション提供者や媒体提供者に適正に分配することができる利益分配指示プログラム及び利益分配システム並びに利益分配方法を提供することにある。
【課題を解決するための手段】
【００１０】
上記目的を達成するため、本発明の利益分配指示プログラムは、特定のプログラムを用いて、記録媒体に記録された画像データが他の記録媒体に記録される場合において、コンピュータを、前記画像データが記録された前記記録媒体の提供元を判別する第１の判別手段、前記他の記録媒体が、所定の識別情報を有する特定の記録媒体であるかを判別する第２の判別手段、前記他の記録媒体が特定の記録媒体である場合に、前記提供元に対して、前記他の記録媒体を利用することによって生じる利益を分配するための利益分配指示情報を作成し、所定のサーバにアップロードする手段、として機能させるものである。
【００１１】
また、本発明の利益分配指示プログラムは、特定のプログラムを用いて、記録媒体に記録された画像データが他の記録媒体に記録される場合において、コンピュータを、前記特定のプログラムの提供元を判別する第１の判別手段、前記他の記録媒体が、所定の識別情報を有する特定の記録媒体であるかを判別する第２の判別手段、前記他の記録媒体が特定の記録媒体である場合に、前記提供元に対して、前記他の記録媒体を利用することによって生じる利益を分配するための利益分配指示情報を作成し、所定のサーバにアップロードする手段、として機能させるものである。
【００１２】
本発明においては、前記記録媒体には、予め該記録媒体の提供元を特定する情報が記録されており、前記第１の判別手段では、前記情報に基づいて、前記提供元を判別する構成とすることができる。
【００１３】
また、本発明のシステムは、画像データと、特定のプログラム又は該特定のプログラムをインストールするためのデータと、が記録された記録媒体を提供する複数の提供元と、前記記録媒体を利用する装置と、前記画像データに関する処理によって生じる利益の分配を管理する所定のサーバと、を備える利益分配システムであって、前記装置に、前記記録媒体の提供元を判別する第１の判別手段と、前記提供元に対して前記利益を分配するための利益分配指示情報を作成し、前記所定のサーバにアップロードする手段と、を少なくとも備えるものである。
【００１４】
また、本発明のシステムは、画像データと、特定のプログラム又は該特定のプログラムをインストールするためのデータと、が記録された記録媒体を提供する複数の提供元と、前記特定のプログラムを用いて前記画像データを他の記録媒体に記録する装置と、前記他の記録媒体を利用することによって生じる利益の分配を管理する所定のサーバと、を備える利益分配システムであって、前記装置に、前記記録媒体の提供元を判別する第１の判別手段と、前記他の記録媒体が、所定の識別情報を有する特定の記録媒体であるかを判別する第２の判別手段と、前記他の記録媒体が特定の記録媒体である場合に、前記提供元に対して前記利益を分配するための利益分配指示情報を作成し、前記所定のサーバにアップロードする手段と、を少なくとも備えるものである。
【００１５】
また、本発明のシステムは、画像データと、特定のプログラム又は該特定のプログラムをインストールするためのデータと、が記録された記録媒体を提供する複数の提供元と、前記特定のプログラムを用いて前記画像データを他の記録媒体に記録する装置と、前記他の記録媒体を利用することによって生じる利益の分配を管理する所定のサーバと、を備える利益分配システムであって、前記装置に、前記特定のプログラムの提供元を判別する第１の判別手段と、前記他の記録媒体が、所定の識別情報を有する特定の記録媒体であるかを判別する第２の判別手段と、前記他の記録媒体が特定の記録媒体である場合に、前記提供元に対して前記利益を分配するための利益分配指示情報を作成し、前記所定のサーバにアップロードする手段と、を少なくとも備えるものである。
【００１６】
また、本発明の方法は、画像データと、特定のプログラム又は該特定のプログラムをインストールするためのデータと、が記録された記録媒体を提供する複数の提供元と、前記記録媒体を利用する装置と、利益の分配を管理する所定のサーバと、を備えるシステムにおける利益分配方法であって、前記画像データに関する処理を実行するステップと、前記記録媒体の提供元を判別する第１の判別ステップと、前記提供元に対して、前記画像データに関する処理によって生じる前記利益を分配するための利益分配指示情報を作成するステップと、前記利益分配指示情報を前記所定のサーバにアップロードするステップと、を少なくとも有するものである。
【００１７】
また、本発明の方法は、画像データと、特定のプログラム又は該特定のプログラムをインストールするためのデータと、が記録された記録媒体を提供する複数の提供元と、前記記録媒体を利用する装置と、利益の分配を管理する所定のサーバと、を備えるシステムにおける利益分配方法であって、前記特定のプログラムを用いて前記画像データを他の記録媒体に記録するステップと、前記記録媒体の提供元を判別する第１の判別ステップと、前記他の記録媒体が、所定の識別情報を有する特定の記録媒体であるかを判別する第２の判別ステップと、前記他の記録媒体が特定の記録媒体である場合に、前記提供元に対して、前記他の記録媒体を利用することによって生じる前記利益を分配するための利益分配指示情報を作成するステップと、前記利益分配指示情報を前記所定のサーバにアップロードするステップと、を少なくとも有するものである。
【００１８】
また、本発明の方法は、画像データと、特定のプログラム又は該特定のプログラムをインストールするためのデータと、が記録された記録媒体を提供する複数の提供元と、前記記録媒体を利用する装置と、利益の分配を管理する所定のサーバと、を備えるシステムにおける利益分配方法であって、前記特定のプログラムを用いて前記画像データを他の記録媒体に記録するステップと、前記特定のプログラムの提供元を判別する第１の判別ステップと、前記他の記録媒体が、所定の識別情報を有する特定の記録媒体であるかを判別する第２の判別ステップと、前記他の記録媒体が特定の記録媒体である場合に、前記提供元に対して、前記他の記録媒体を利用することによって生じる前記利益を分配するための利益分配指示情報を作成するステップと、前記利益分配指示情報を前記所定のサーバにアップロードするステップと、を少なくとも有するものである。
【００１９】
このように、本発明では、ディスク作成プログラムによって他の記録媒体が利用された場合に、書き込み対象となる画像データが記録された記録媒体の提供元を判別、又は、書き込み処理を行う特定のプログラムの提供元を判別すると共に、画像データが書き込まれる他の記録媒体が特定の記録媒体であるかを判別し、他の記録媒体が特定の記録媒体である場合に上記提供元に利益が分配されるように利益分配指示情報が作成されて所定の管理サーバにアップロードされるため、他の記録媒体を利用することによって生じる利益をアプリケーション提供者や媒体提供者に適正に分配することができる。
【発明の効果】
【００２０】
以上説明したように、本発明の利益分配指示プログラム及び利益分配システム並びに利益分配方法によれば、画像データを記録媒体に記録するなどの画像データに関する処理により生じる利益を、アプリケーション提供者や媒体提供者に適正に分配することができる。
【００２１】
その理由は、記録媒体に画像データとディスク作成プログラム（又は該ディスク作成プログラムを制御装置にインストールするためのデータ）とを記録してユーザに提供し、ユーザがそのディスク作成プログラムを用いて他の記録媒体に画像データを記録する処理を行った場合に、利益分配指示プログラムは、書き込み対象となる画像データが記録された記録媒体の提供元の媒体提供者を判別、又は、書き込み処理を行う特定のプログラムの提供元の媒体提供者を判別すると共に、画像データが書き込まれる他の記録媒体が特定の記録媒体であるかを判別し、他の記録媒体が特定の記録媒体である場合には、記録媒体や特定のプログラムの提供元の媒体提供者に利益が分配されるように利益分配指示情報が作成されて所定の管理サーバにアップロードされるからである。
【発明を実施するための最良の形態】
【００２２】
本発明に係る利益分配システムは、その好ましい一実施の形態において、ディスク作成プログラム（又は該ディスク作成プログラムを制御装置にインストールするためのデータ）などを提供するアプリケーション提供者と、ユーザから提供された画像データを用いて写真プリントを作成すると共に、該画像データとディスク作成プログラム（又はデータ）とを記録媒体に記録してユーザに提供する複数の媒体提供者と、ディスク作成プログラムを用いて他の記録媒体に画像データを記録する制御装置と、制御装置から送信された利益分配指示情報を記憶し、他の記録媒体の販売を行う者（例えば、アプリケーション提供者）に利益分配指示を行う管理サーバと、を含み、制御装置には、ディスク作成プログラムを用いて他の記録媒体に画像データが記録された場合に、書き込み対象となる画像データが記録された記録媒体の提供元の媒体提供者を判別、又は、書き込み処理を行うディスク作成プログラムの提供元の媒体提供者を判別する手段と、所定の識別情報を参照して他の記録媒体が特定の記録媒体であるかを判別する手段と、他の記録媒体が特定の記録媒体である場合に、上記提供元の媒体提供者に対して、他の記録媒体が利用されることによって生じる利益が分配されるように指示する利益分配指示情報を作成して所定の管理サーバにアップロードする手段と、を備えるものであり、アプリケーション提供者や媒体提供者の貢献度を判別し適正に利益を分配することができ、画像データを利用した処理の促進を図ることができる。
【実施例１】
【００２３】
上記実施形態について詳細に説明すべく、本発明の第１の実施例に係る利益分配指示プログラム及び利益分配システム並びに利益分配方法について、図１乃至図１５を参照して説明する。図１は、本実施例に係る利益分配システムの構成を模式的に示す図であり、図２乃至図６は、制御装置のバリエーションを示す図である。また、図７は、制御装置の手段を示すブロック図であり、図８は、本実施例の利益分配方法の手順を示すフローチャート図である。また、図９乃至図１１は、データの記録構造を示す図であり、図１２及び図１３は、制御装置の表示手段に表示される画面の構成例を示す図である。また、図１４は、記録媒体のデータ記録領域を模式的に示す図であり、図１５は、ＣＤ−Ｒの構造を模式的に示す図である。なお、本実施例では、画像データを記録媒体に記録するプログラム（ディスク作成プログラムと呼ぶ。）を例にして説明するが、画像データに関する処理を実行する任意のプログラムに対して同様に適用することができる。
【００２４】
図１に示すように、本実施例の利益分配システムは、ディスク作成プログラム（又は該ディスク作成プログラムを制御装置１にインストールするためのデータ、以下、インストールデータと呼ぶ。）を提供するアプリケーション提供者と、ユーザから提供された画像データを用いて写真プリントを作成すると共に、該画像データとアプリケーション提供者から提供されたアプリケーション又はインストールデータとを記録媒体９に記録してユーザに提供する複数の媒体提供者と、記録媒体９に記録されたディスク作成プログラム又はインストールされたディスク作成プログラムを用いて他の記録媒体９ａに画像データや家電機器用データなどを記録する処理を行う制御装置１と、制御装置１に通信ネットワーク１１で接続され、制御装置１から送信された利益分配指示情報を記憶し、他の記録媒体９ａを販売して利益を得る者（ここでは、アプリケーション提供者とする。）に利益分配の指示を行う管理サーバ１２などで構成される。
【００２５】
また、図１及び図７に示すように、制御装置１には、メディア装填部２に装填されたスマートメディア、コンパクトフラッシュ（登録商標）、メモリースティック（登録商標）、ＳＤメモリーカード、マルチメディアカードなどの記録媒体（以下、メディア８と呼ぶ。）、機器接続部３に接続されたデジタルカメラ７（デジタルスチルカメラ及びデジタルムービーカメラの双方を含む。）やカメラ付き携帯電話機７ａ等の撮影機器、ネットワーク接続部を用いてインターネット等の通信ネットワーク１１を介して接続される管理サーバ１２、記録媒体装填部４に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９などから画像データ（静止画像データ、動画データ、画像情報を含むデータを総称して画像データと呼ぶ。）を入力するデータ入力手段１３と、書き込み対象となる画像データが記録された記録媒体９の提供元の媒体提供者を判別する画像データ判別手段１４と、記録媒体装填部４に装填された他の記録媒体９ａが所定の識別情報を記録された特定の記録媒体であるかを判別する記録媒体判別手段１５と、他の記録媒体９ａが特定の記録媒体である場合に、画像データ判別手段１４の判別結果に基づいて、他の記録媒体９ａの利用によって生じる利益の分配を指示するための情報（以下、利益分配指示情報と呼ぶ。）を生成し、管理サーバ１２にアップロードする利益分配指示情報作成手段１６と、画像データを用いて家電機器用データを生成したり、画像データのデータサイズを縮小した縮小画像データを生成するなどの処理を行うデータ生成手段１７と、記録媒体装填部４に装填された他の記録媒体９ａに画像データや家電機器用データなどを記録する記録制御手段１８と、ディスク作成プログラムをインストールしたり画像データをバックアップする記憶手段（ＨＤＤ１０とする。）と、ＬＣＤ、ＣＲＴ等の表示手段５及びボタン、キーボード、マウス等の操作手段６などを備えている。
【００２６】
なお、上記各手段は制御装置１にハードウェアとして構成されていてもよいが、コンピュータを、画像データ判別手段１４及び利益分配指示情報作成手段１６、又は、画像データ判別手段１４、記録媒体判別手段１５及び利益分配指示情報作成手段１６として機能させる利益分配指示プログラムとして構成し、該利益分配指示プログラムを制御装置１にインストールして実行する構成としてもよい。また、図１では、制御装置１としてパーソナルコンピュータを示しているが、制御装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００２７】
次に、上記利益分配システムを利用した利益分配方法の手順について、図８のフローチャート図を参照して説明する。なお、以下の説明では、ディスク作成プログラムを制御装置１にインストールして実行する構成とするが、このプログラムを制御装置１にインストールせずに記録媒体９から実行する構成としてもよい。
【００２８】
まず、ステップＳ１０１で、アプリケーション提供者は媒体提供者に対して、記録媒体９に書き込んでユーザに提供するためのディスク作成プログラム又は該ディスク作成プログラムを制御装置１にインストールするためのインストールデータを提供する。なお、上記プログラムやインストールデータの提供形態は任意であり、プログラムやインストールデータを記録媒体に書き込んで媒体提供者に提供してもよいし、インターネット等の通信ネットワークを介してプログラムやインストールデータを媒体提供者に送信してもよい。
【００２９】
次に、ステップＳ１０２で、ユーザは写真撮影を行ったデジタルカメラやメディアなどを媒体提供者に提供し、ステップＳ１０３で、必要に応じて、媒体提供者はデジタルカメラやメディアなどから読み取った画像データに基づいて写真プリントを作成する。なお、画像データの提供方法も任意であり、ユーザがデジタルカメラやメディアを媒体提供者の店舗に持ち込んでもよいし、郵送で送ってもよいし、インターネット等の通信ネットワークを介して画像データを媒体提供者に送信してもよい。また、媒体提供者の形態も任意であり、印刷手段を備える写真店舗としてもよいし、ユーザからデジタルカメラやメディアを受け取って注文の受付のみを行う注文店舗としてもよいし、ユーザから画像データを受信して処理を行うＷＥＢサイトとしてもよい。
【００３０】
次に、ステップＳ１０４で、媒体提供者は、任意の記録装置を用いて、ユーザが提供した画像データと、アプリケーション提供者が提供したディスク作成プログラム又はインストールデータとを記録媒体９に書き込んでユーザに提供する。この記録媒体９には、例えば、図９に示すように、所定の名称のフォルダ内に、ユーザが提供した画像データや必要に応じて該画像データのデータサイズを縮小したサムネイル画像データ、スクリーンネイル画像データなどの縮小画像データ、媒体提供者を特定する情報が記述された提供元特定データ（maker.txt）が記録されると共に、ディスク作成プログラム又はディスク作成プログラムを制御装置１にインストールするためのインストールデータ（ここではディスク作成プログラムとなるcompressgenerate.dllと、これを解凍して制御装置１にインストールするためのSetup.exe）とが記録される。
【００３１】
ここで、後述するステップで他の記録媒体９ａに画像データを記録する際に、書き込み対象となる画像データが記録された記録媒体９の提供元の媒体提供者を判別する必要があることから、本実施例では、提供元特定データを記録しているが、提供元特定データに代えて又は加えて、画像データのヘッダなどに媒体提供者を特定する情報を記述してもよい。
【００３２】
なお、図９の構成は例示であり、記録媒体９にはユーザが提供した画像データと、アプリケーション提供者が提供したディスク作成プログラム又はインストールデータと提供元特定データとが記録されていればよく、縮小画像データなどは任意であり、更に、テンプレートデータやスキン（アプリケーションソフトの外観に関する情報を格納したファイル）などのコンテンツデータを書き込んでもよい。また、提供元特定データには媒体提供者を特定する情報が記述されていればよく、その記述形態やファイル名などは任意である。また、フォルダや画像データの名称も任意であるが、画像データの管理を容易にするために、図９に示すように、画像データの格納場所を示すフォルダ（PS_Roll）の下位の階層にメディア８毎、機器毎、フィルム毎のデータの格納場所を示すフォルダを設け、該フォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）としてもよいし、画像データのファイル名称をCCYYMMDDxxxxxx（CC：データの種別、YYMMDD：書き込み年月日を特定する数字、xxxxxx：シーケンシャル番号）などとしてもよい。
【００３３】
次に、ステップＳ１０５で、媒体提供者から記録媒体９を受け取ったユーザが、その記録媒体９を制御装置１の記録媒体装填部４に装填すると、ステップＳ１０６で、記録媒体９に記録されたSetupプログラムが起動し、ディスク作成プログラムが制御装置１にインストールされる。
【００３４】
インストール後の制御装置１のデータ構造は、例えば、図１０に示すようになり、所定のディレクトリの所定のフォルダ（ここではProgram files）の下位にプログラムや画像データの格納場所を示すフォルダ（ここではUtility）が作成され、その中にディスク作成プログラム（ここではgenerate.exe）がインストールされ、画像データ（ORYYMMDD000001.jpg…）やサムネイル画像データ（THYYMMDD000001.jpg…）、スクリーンネイル画像データ（SCYYMMDD000001.jpg…）、提供元特定データ（maker.txt）などがバックアップされる。
【００３５】
なお、ここではディスク作成プログラム又はインストールデータを記録媒体９に記録してユーザに提供する構成としているが、例えば、ディスク作成プログラムやインストールデータを媒体提供者が管理するサーバからダウンロードしたり、別の記録媒体に記録して提供するようにしてもよい。また、ここでは記録媒体装填部４に記録媒体９を装填すると自動的にディスク作成プログラムがインストールされる構成としているが、ユーザが所定の操作を行ってディスク作成プログラムをインストールする構成としてもよい。
【００３６】
次に、ディスク作成プログラムを起動すると、制御装置１の表示手段５に、例えば、図１２に示すような処理画面２０が表示される。この処理画面２０には、例えば、画像データの供給元を示すタグ表示欄２１と、画像データの縮小画像を一覧表示する一覧表示欄２２と、処理を選択するための処理選択欄２３とが表示される。そして、処理選択欄２３の中から、”新しいディスクを作る”を選択すると、例えば、図１３に示すような、他の記録媒体に画像データや家電機器用データを記録するための処理を実行するための画面（ここではスライドショー作成画面２４）が表示される。このスライドショー作成画面２４には、例えば、画像データの供給元を示すタグ表示欄２１と、画像データの縮小画像を一覧表示する一覧表示欄２２と、選択された画像データを表示する選択画像表示欄２５と、操作手順を明示する手順表示欄２６とが表示される。そして、ステップＳ１０７で、ユーザが一覧表示欄２２に表示された画像の中から所望の画像を選択すると選択された画像が選択画像表示欄２５に表示される。
【００３７】
次に、手順表示欄２６の指示に従って、タイトルを入力したり、画像に文字を挿入したり、ＢＧＭとして利用する音楽を選択すると、データ生成手段１７は、選択された画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。
【００３８】
次に、ステップＳ１０８で、画像データ判別手段１４は、選択された画像データがどの媒体提供者によって作成された記録媒体９に記録された画像データであるかを判別する。具体的には、選択された画像データが記録されている記録媒体９から提供元特定データ（maker.txt）を読み取って該記録媒体９を作成した媒体提供者を判別する。また、各々の画像データに媒体提供者を特定する情報が記録されている場合は、画像データのヘッダ情報を読み取って該画像データを記録媒体９に記録した媒体提供者を判別する。
【００３９】
そして、記録媒体の作成を指示すると、記録媒体装填部４に記録媒体を装填するように促すメッセージが表示され、ステップＳ１０９で、ユーザはその指示に従って記録媒体装填部４に他の記録媒体９ａを装填する。この他の記録媒体９ａとして任意の記録媒体を利用することができるが、本実施例では、他の記録媒体９ａの利用によって生じる利益を適切に分配することを目的としているため、ステップＳ１１０で、記録媒体判別手段１５は、装填された他の記録媒体９ａに予め記録された識別情報に基づいて、他の記録媒体９ａが特定の記録媒体（例えば、アプリケーション提供者が販売する記録媒体）であるかを判別する。この識別情報の内容は限定されないが、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００４０】
ここで、一般的な記録媒体（ＣＤ−Ｒ）の構造について、図１５を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００４１】
次に、装填された他の記録媒体９ａが特定の記録媒体である場合は、ステップＳ１１１で、記録制御手段１８は、生成した家電機器用データを他の記録媒体９ａの論理アドレス領域の内周側に書き込み、必要に応じてセッションをクローズした後、画像データなどを他の記録媒体９ａの先に記録した家電機器用データの外側に書き込む（図１４参照）。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００４２】
上記他の記録媒体９ａのデータ記録構造は、例えば、図１１（ａ）に示すようになり、画像データの格納場所を示すフォルダ（PS_Rollフォルダ）内の画像データや縮小画像データ、提供元特定データ（maker.txt）と、アプリケーションフォルダ（APPLフォルダ）内のプログラムなどで構成されるコンピュータ機器用データと、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”CDI”フォルダ内のＴＶ画面に静止画像データを表示するためのアプリケーションなどで構成される家電機器用データと、が記録される。また、家電機器用データとしてＤＶＤ−Ｖｉｄｅｏ形式のデータを生成した場合は、図１１（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などが記録される。
【００４３】
次に、ステップＳ１１２で、利益分配指示情報作成手段１６は、ステップＳ１０８及びＳ１０９の判別結果に基づいて、他の記録媒体９ａを利用することによって得られる利益をアプリケーション提供者と媒体提供者に適切に分配するための利益分配指示情報を作成し、ネットワーク接続部を用いて、管理サーバ１２にアップロードする。例えば、書き込み対象となる画像データが記録された記録媒体９が媒体提供者Ａによって作成されたものである場合には、媒体提供者Ａが記録媒体９に画像データを記録することによって他の記録媒体９ａが作成されたと考えられることから、媒体提供者Ａの貢献度を考慮して、他の記録媒体９ａに対して得られる利益の一部を媒体提供者Ａに分配するように（例えば、他の記録媒体９ａの販売利益の１０％を媒体提供者Ａに分配するように）指示する利益分配指示情報を作成して管理サーバ１２に送信する。
【００４４】
なお、利益分配指示情報には、他の記録媒体９ａの作成に対する貢献度に応じた利益の分配を規定する情報が記述されていればよく、分配の比率や記述形態、ファイル形式などは特に限定されない。また、上記ステップでは、他の記録媒体９ａに画像データや家電機器用データを記録した後に利益分配指示情報を作成したが、この順番は任意であり、利益分配指示情報を作成した後に、画像データなどを書き込むなど、適宜変更可能である。
【００４５】
そして、ステップＳ１１３で、利益分配指示情報を受信した管理サーバ１２は、利益分配指示情報を記憶すると共、他の記録媒体９ａの作成に対して生じる利益を得る者（ここではアプリケーション提供者）に利益分配指示情報を通知し、アプリケーション提供者は利益分配指示情報に従って上記利益の一部を媒体提供者に分配する。
【００４６】
このように、本実施例によれば、ディスク作成プログラムを用いて他の記録媒体９ａに画像データを記録する際に、書き込み対象となる画像データが記録された記録媒体９の提供元の媒体提供者を判別すると共に、他の記録媒体９ａが特定の記録媒体であるかを判別し、他の記録媒体９ａが特定の記録媒体である場合には、他の記録媒体９ａの利用によって生じる利益を上記提供元に分配するように指示する利益分配指示情報を作成して管理サーバ１２にアップロードするため、貢献度に応じて適正に利益を分配することができ、画像データを利用した処理の促進を図ることができる。
【００４７】
なお、上記説明では、他の記録媒体９ａに画像データや家電機器用データを記録した場合に、利益の一部を記録媒体９の提供元の媒体提供者に分配する構成としたが、例えば、画像データや家電機器用データを記録するための他の記録媒体９ａを購入しただけでも利益は発生するため、図１２の処理画面２０の処理選択欄２３で”ディスクの購入”を選択したら、画像データ判別手段１４で画像データが記録された記録媒体９の提供元を判別し、利益分配指示情報作成手段１６で利益分配指示情報を作成し、管理サーバ１２にアップロードすればよい。
【実施例２】
【００４８】
次に、本発明の第２の実施例に係る利益分配指示プログラム及び利益分配システム並びに利益分配方法について、図１６及び図１７を参照して説明する。図１６は、制御装置の手段を示すブロック図であり、図１７は、本実施例の利益分配システムを利用した利益分配方法の手順を示すフローチャート図である。
【００４９】
前記した第１の実施例では、画像データ判別手段１４を用いて、書き込み対象となる画像データが記録された記録媒体９がどの媒体提供者によって作成されたものであるかを判別したが、例えば、媒体提供者がユーザに提供したディスク作成プログラムを用いて他の記録媒体９ａが作成された場合には、そのプログラムを提供することによって他の記録媒体９ａが利用されたと考えられることから、本実施例では、ディスク作成プログラムがどの媒体提供者から提供されたプログラムであるかに基づいて利益分配指示情報を作成するようにする。
【００５０】
その場合、本実施例の制御装置１には、図１６に示すようになり、画像データ判別手段１４に代えて、書き込み処理を実行するディスク作成プログラムがどの媒体提供者から提供されたプログラムであるかを判別するプログラム判別手段２７を設ける。
【００５１】
なお、本実施例でも、図１６に示す各手段は制御装置１にハードウェアとして構成されていてもよいし、コンピュータを、プログラム判別手段２７及び利益分配指示情報作成手段１６、又は、プログラム判別手段２７、記録媒体判別手段１５及び利益分配指示情報作成手段１６として機能させる利益分配指示プログラムとして構成し、該利益分配指示プログラムを制御装置１にインストールして実行する構成としてもよい。
【００５２】
次に、上記利益分配システムを利用した利益分配方法の手順について、図１７のフローチャート図を参照して説明する。なお、以下の説明でも、ディスク作成プログラムを制御装置１にインストールして実行する構成とするが、このプログラムを制御装置１にインストールせずに記録媒体９から実行する構成としてもよい。
【００５３】
まず、ステップＳ２０１で、アプリケーション提供者は媒体提供者に対して、記録媒体９に書き込んでユーザに提供するためのディスク作成プログラム又は該ディスク作成プログラムを制御装置１にインストールするためのインストールデータを提供する。
【００５４】
次に、ステップＳ２０２で、ユーザは写真撮影を行ったデジタルカメラやメディアなどを媒体提供者に提供し、ステップＳ２０３で、必要に応じて、媒体提供者はデジタルカメラやメディアなどから読み取った画像データに基づいて写真プリントを作成する。
【００５５】
次に、ステップＳ２０４で、媒体提供者は、任意の記録装置を用いて、ユーザが提供した画像データと、アプリケーション提供者が提供したディスク作成プログラム又はインストールデータとを記録媒体９に書き込んでユーザに提供する。その際、後述するステップで他の記録媒体９ａに画像データを記録する際に、書き込みを実行するディスク作成プログラムがどの媒体提供者から提供されたプログラムであるかを判別する必要があることから、プログラムの提供元の媒体提供者を特定する情報が記述された提供元特定データを記録したり、プログラムの中（例えば実行ファイル中）に媒体提供者を特定する情報を記録する。
【００５６】
次に、ステップＳ２０５で、媒体提供者から記録媒体９を受け取ったユーザが、その記録媒体９を制御装置１の記録媒体装填部４に装填すると、ステップＳ２０６で、記録媒体９に記録されたSetupプログラムが起動し、ディスク作成プログラムが制御装置１にインストールされる。なお、本実施例でも、ディスク作成プログラムを媒体提供者が管理するサーバからダウンロードしたり、別の記録媒体に記録して提供するようにしてもよいが、その場合にはディスク作成プログラムを提供する媒体提供者を特定できるように、提供元特定データを提供したり、プログラムの中に媒体提供者を特定する情報を記録する必要がある。
【００５７】
次に、ディスク作成プログラムを起動すると、ステップＳ２０７で、プログラム判別手段２７は、記録媒体９から提供元特定データ（maker.txt）を読み取って（又はディスク作成プログラム自体から提供元を特定する情報を読み取って）、ディスク作成プログラムを提供した媒体提供者を判別する。
【００５８】
次に、制御装置１の表示手段５に、図１２に示すような処理画面２０が表示され、処理選択欄２３の中から、”新しいディスクを作る”を選択すると、図１３に示すようなスライドショー作成画面２４が表示される。そして、ステップＳ２０８で、ユーザが一覧表示欄２２に表示された画像の中から所望の画像を選択した後、手順表示欄２６の指示に従って、タイトルを入力したり、画像に文字を挿入したり、ＢＧＭとして利用する音楽を選択すると、データ生成手段１７は、家電機器用データを生成する。
【００５９】
そして、記録媒体の作成を指示すると、記録媒体装填部４に記録媒体を装填するように促すメッセージが表示され、ステップＳ２０９で、ユーザはその指示に従って記録媒体装填部４に他の記録媒体９ａを装填すると、ステップＳ２１０で、記録媒体判別手段１５は、装填された他の記録媒体９ａに予め記録された識別情報に基づいて、他の記録媒体９ａが特定の記録媒体（例えば、アプリケーション提供者が販売する記録媒体）であるかを判別する。
【００６０】
次に、ステップＳ２１１で、記録制御手段１８は、生成した家電機器用データを他の記録媒体９ａの論理アドレス領域の内周側に書き込み、必要に応じてセッションをクローズした後、画像データなどを他の記録媒体９ａの先に記録した家電機器用データの外側に書き込む。
【００６１】
次に、ステップＳ２１２で、利益分配指示情報作成手段１６は、ステップＳ２０７及びＳ２０９の判別結果に基づいて、他の記録媒体９ａを利用することによって生じる利益をアプリケーション提供者と媒体提供者に適切に分配するための利益分配指示情報を作成し、ネットワーク接続部を用いて、管理サーバ１２にアップロードする。例えば、ディスク作成プログラムが媒体提供者Ａから提供されたプログラムである場合には、媒体提供者Ａが該プログラムを提供することによって他の記録媒体９ａが作成されたと考えられることから、媒体提供者Ａの貢献度を考慮して、他の記録媒体９ａに対して得られる利益の一部が媒体提供者Ａに分配されるように利益分配指示情報を作成する。
【００６２】
そして、ステップＳ２１３で、利益分配指示情報を受信した管理サーバ１２は、利益分配指示情報を記憶すると共、他の記録媒体９ａの作成に対して生じる利益を受ける者（ここではアプリケーション提供者）に利益分配指示情報を通知し、アプリケーション提供者は利益分配指示情報に従って上記利益の一部を媒体提供者に分配する。
【００６３】
このように、本実施例によれば、ディスク作成プログラムを用いて他の記録媒体９ａに画像データを記録する際に、書き込み処理を実行するディスク作成プログラムの提供元の媒体提供者を判別すると共に、他の記録媒体９ａが特定の記録媒体であるかを判別し、他の記録媒体９ａが特定の記録媒体である場合には、他の記録媒体９ａの利用によって生じる利益を上記提供元に分配するように指示する利益分配指示情報を作成して管理サーバ１２にアップロードするため、貢献度に応じて適正に利益を分配することができ、画像データを利用した処理の促進を図ることができる。
【００６４】
なお、本実施例においても、他の記録媒体９ａに画像データや家電機器用データを記録しなくても他の記録媒体９ａを購入しただけでも利益は発生するため、図１２の処理画面２０の処理選択欄２３で”ディスクの購入”を選択したら、プログラム判別手段２７でディスク作成プログラムが記録された記録媒体９の提供元を判別し、利益分配指示情報作成手段１６で利益分配指示情報を作成し、管理サーバ１２にアップロードすればよい。
【００６５】
また、上記説明では、他の記録媒体９ａを購入した場合の処理を規定したが、他の記録媒体９ａを購入しなくても、媒体提供者から他のプログラムを購入したり、ディスク作成プログラムを有償でバージョンアップしたり、ディスク作成プログラムの機能を追加購入した場合にも利益は発生するため、例えば、図１２の処理画面２０の処理選択欄２３で”アプリケーションの購入”を選択したら、同様に、プログラム判別手段２７でディスク作成プログラムが記録された記録媒体９の提供元を判別し、利益分配指示情報作成手段１６で利益分配指示情報を作成し、管理サーバ１２にアップロードすればよい。
【００６６】
また、第１の実施例では、書き込み対象となる画像データが記録された記録媒体９の提供元の媒体提供者に利益が分配されるように利益分配指示情報を作成し、第２の実施例では、書き込み処理を実行するディスク作成プログラムの提供元の媒体提供者に利益が分配されるように利益分配指示情報を作成したが、例えば、媒体提供者Ａから提供されたディスク作成プログラムを用いて、媒体提供者Ｂの記録媒体９に記録された画像データを他の記録媒体９ａに記録する場合には、媒体提供者ＡとＢに利益が分配されるように利益分配指示情報を作成するなど、第１の実施例の構成と第２の実施例の構成とを組み合わせてもよい。
【実施例３】
【００６７】
次に、本発明の第３の実施例に係る利益分配指示プログラム及び利益分配システム並びに利益分配方法について、図１８乃至図２２を参照して説明する。図１８は、本実施例に係る利益分配システムの構成を模式的に示す図であり、図１９は、本実施例に係る利益分配システムを用いた利益分配方法の手順を示すフローチャート図である。また、図２０乃至図２２は、データの記録構造を示す図である。
【００６８】
前記した第１及び第２の実施例では、媒体提供者が作成した記録媒体９を受け取ったユーザが制御装置１を用いて他の記録媒体９ａを作成する場合の利益分配を規定したが、この他の記録媒体９ａを用いて他の制御装置にディスク作成プログラムをインストールし、そのディスク作成プログラムを用いて更に他の記録媒体を作成する場合も考えられる。そこで、本実施例では、他の制御装置で他の記録媒体が作成される場合の利益分配を規定する。
【００６９】
その場合の利益分配システムは、図１８に示すように構成され、ディスク作成プログラム（又は該ディスク作成プログラムを制御装置１にインストールするためのデータ）や該ディスク作成プログラムを他の制御装置３１にインストールするために他の記録媒体９ａにコピーするコピープログラム（又は該コピープログラムを制御装置１にインストールするためのデータ）などを提供するアプリケーション提供者と、ユーザから提供された画像データを用いて写真プリントを作成すると共に、該画像データとアプリケーション提供者から提供されたアプリケーション又はインストールデータとを記録媒体９に記録してユーザに提供する媒体提供者と、記録媒体９に記録されたディスク作成プログラム又はインストールされたディスク作成プログラムを用いて、ディスク作成プログラム（又はインストールデータ）と必要に応じて画像データとを他の記録媒体９ａに記録する制御装置１と、他の記録媒体９ａに記録されたディスク作成プログラム（又はインストールされたディスク作成プログラム）を用いて他の記録媒体９ｂの作成を行う他の制御装置３１と、制御装置１及び他の制御装置３１に通信ネットワーク１１で接続され、制御装置１又は他の制御装置３１から送信された利益分配指示情報を記憶し、他の記録媒体９ａ又は９ｂを販売して利益を得る者（ここでは、アプリケーション提供者とする。）に利益分配の指示を行う管理サーバ１２などで構成される。
【００７０】
なお、他の制御装置３１には制御装置１と同様の手段を備え、書き込み対象となる画像データが記録された記録媒体９の提供元の媒体提供者に基づいて利益分配指示情報を作成する場合は図７のようになり、ディスク作成プログラムの提供元の媒体提供者に基づいて利益分配指示情報を作成する場合は図１６のようになる。
【００７１】
次に、上記利益分配システムを利用した利益分配方法の手順について、図１９のフローチャート図を参照して説明する。なお、以下では、第１の実施例と同様に、画像データが記録された記録媒体９の提供元の媒体提供者に基づいて利益分配指示情報を作成する場合について説明するが、第２の実施例と同様に、ディスク作成プログラムの提供元の媒体提供者に基づいて利益分配指示情報を作成する場合や、その双方を組み合わせた場合についても同様に適用することができる。
【００７２】
まず、ステップＳ３０１で、アプリケーション提供者は媒体提供者に対して、記録媒体９に書き込んでユーザに提供するためのディスク作成プログラム及びコピープログラム又はこれらのプログラムを制御装置１にインストールするためのデータを提供する。
【００７３】
次に、ステップＳ３０２で、ユーザは写真撮影を行ったデジタルカメラやメディアなどを媒体提供者に提供し、ステップＳ３０３で、必要に応じて、媒体提供者はデジタルカメラやメディアなどに記録された画像データに基づいて写真プリントを作成すると共に、任意の記録装置を用いて、ユーザが提供した画像データと、アプリケーション提供者が提供したディスク作成プログラム及びコピープログラム又はインストールデータとを記録媒体９に書き込んでユーザに提供する。この記録媒体９には、例えば、図２０に示すように、所定の名称のフォルダ内に、ユーザが提供した画像データや必要に応じて該画像データのデータサイズを縮小した縮小画像データ、媒体提供者を特定する情報が記述された提供元特定データ（maker.txt）が記録されると共に、ディスク作成プログラム及びコピープログラム又はこれらのインストールデータ（ここではディスク作成プログラムとなるcompressgenerate.dllと、コピープログラムとなるcompresscopy.dllと、これを解凍して制御装置１にインストールするためのSetup.exe）と、ディスク作成プログラムを他の制御装置３１にインストールするためのデータ（ここではinstallerフォルダ内のディスク作成プログラムとなるcompressgenerate.dllと、これを解凍して制御装置３１にインストールするためのSetup.exe）とが記録される。なお、提供元特定データに代えて又は加えて、画像データのヘッダなどに媒体提供者を特定する情報を記述してもよい。
【００７４】
次に、ステップＳ３０４で、媒体提供者から記録媒体９を受け取ったユーザが、その記録媒体９を制御装置１の記録媒体装填部４に装填すると、ステップＳ３０５で、記録媒体９に記録されたSetupプログラムが起動し、ディスク作成プログラム及びコピープログラムが制御装置１にインストールされる。
【００７５】
インストール後の制御装置１のデータ構造は、例えば、図２１に示すようになり、所定のディレクトリの所定のフォルダ（ここではProgram files）の下位にプログラムや画像データの格納場所を示すフォルダ（ここではUtility）が作成され、その中にディスク作成プログラム（ここではgenerate.exe）とコピープログラム（ここではcopy.exe）がインストールされ、必要に応じて、画像データ（ORYYMMDD000001.jpg…）やサムネイル画像データ（THYYMMDD000001.jpg…）、スクリーンネイル画像データ（SCYYMMDD000001.jpg…）、提供元特定データ（maker.txt）などがバックアップされ、更に、ディスク作成プログラムを他の制御装置３１にインストールするためのデータが記録される。なお、本実施例でも、上記プログラムやインストールデータを媒体提供者が管理するサーバからダウンロードしたり、別の記録媒体に記録して提供するようにしてもよい。
【００７６】
次に、ディスク作成プログラムを起動すると、制御装置１の表示手段５に、例えば、図１２に示すような処理画面２０が表示され、処理選択欄２３の中から、”新しいディスクを作る”を選択すると、例えば、図１３に示すようなスライドショー作成画面２４が表示される。そして、ステップＳ３０６で、ユーザが一覧表示欄２２に表示された画像の中から所望の画像を選択すると、データ生成手段１７は、選択された画像データに基づいて家電機器用データを生成する。そして、制御装置１にインストールされたコピープログラムを起動すると、コピープログラムは、まず、生成した家電機器用データを他の記録媒体９ａの論理アドレス領域の内周側に書き込み、必要に応じてセッションをクローズした後、画像データやディスク作成プログラムを他の制御装置３１にインストールするためのデータ、提供元特定データなどを他の記録媒体９ａの先に記録した家電機器用データの外側に書き込む。
【００７７】
上記他の記録媒体９ａのデータ記録構造は、例えば、図２２に示すようになり、画像データの格納場所を示すフォルダ（PS_Rollフォルダ）内の画像データや縮小画像データ、提供元特定データ（maker.txt）と、ディスク作成プログラムを他の制御装置３１にインストールするためのデータ（compressegenerate.dllとSetup.exe）などで構成されるコンピュータ機器用データと、”VCD”フォルダ、”SEGMENT”フォルダ、”MPEGAV”フォルダ、”CDI”フォルダ内の各種データ又は”VIDEO_TS”フォルダ内の各種データで構成される家電機器用データと、が記録される。
【００７８】
次に、ステップＳ３０７で、他のユーザが、他の記録媒体９ａを他の制御装置３１の記録媒体装填部３４に装填すると、ステップＳ３０８で、他の記録媒体９ａに記録されたSetupプログラムが起動し、ディスク作成プログラムが他の制御装置３１にインストールされる（図１０参照）。
【００７９】
そして、他の制御装置３１のディスク作成プログラムを起動すると、他の制御装置３１の表示手段３５に、例えば、図１２に示すような処理画面２０が表示され、処理選択欄２３の中から、”新しいディスクを作る”を選択すると、例えば、図１３に示すようなスライドショー作成画面２４が表示される。そして、ステップＳ３０９で、ユーザが一覧表示欄２２に表示された画像の中から所望の画像を選択すると、データ生成手段１７は、選択された画像データに基づいて家電機器用データを生成する。
【００８０】
次に、画像データ判別手段１４は、選択された画像データがどの媒体提供者によって作成された記録媒体９に記録された画像データであるかを判別する。具体的には、選択された画像データが記録されている記録媒体９ａから提供元特定データ（maker.txt）を読み取って該記録媒体９を作成した媒体提供者を判別する。また、各々の画像データに媒体提供者を特定する情報が記録されている場合は、画像データのヘッダ情報を読み取って該画像データを記録媒体９に記録した媒体提供者を判別する。
【００８１】
そして、記録媒体の作成を指示すると、記録媒体装填部３４に記録媒体を装填するように促すメッセージが表示され、ステップＳ３１０で、ユーザはその指示に従って記録媒体装填部３４に他の記録媒体９ｂを装填すると、ステップＳ３１１で、記録媒体判別手段１５は、装填された他の記録媒体９ｂに予め記録された識別情報に基づいて、他の記録媒体９ｂが特定の記録媒体（例えば、アプリケーション提供者が販売する記録媒体）であるかを判別する。
【００８２】
次に、ステップＳ３１２で、記録制御手段１８は、生成した家電機器用データを他の記録媒体９ｂの論理アドレス領域の内周側に書き込み、必要に応じてセッションをクローズした後、画像データなどを他の記録媒体９ｂの先に記録した家電機器用データの外側に書き込む。
【００８３】
次に、ステップＳ３１３で、利益分配指示情報作成手段１６は、ステップＳ３０９及びＳ３１１の判別結果に基づいて、他の記録媒体９ｂを利用することによって生じる利益をアプリケーション提供者と媒体提供者に適切に分配するための利益分配指示情報を作成し、ネットワーク接続部を用いて、管理サーバ１２に送信する。例えば、書き込み対象となる画像データが記録された記録媒体９が媒体提供者Ａによって作成されたものである場合には、媒体提供者Ａが記録媒体９に画像データを記録することによって他の記録媒体９ｂが作成されたと考えられることから、媒体提供者Ａの貢献度を考慮して、他の記録媒体９ｂに対して得られる利益の一部を媒体提供者Ａに分配するように指示する利益分配指示情報を作成して管理サーバ１２に送信する。
【００８４】
そして、ステップＳ３１４で、利益分配指示情報を受信した管理サーバ１２は、利益分配指示情報を記憶すると共、他の記録媒体９ｂの作成に対して生じる利益を受ける者（ここではアプリケーション提供者）に利益分配指示情報を通知し、アプリケーション提供者は利益分配指示情報に従って上記利益の一部を媒体提供者に分配する。
【００８５】
このように、本実施例によれば、ディスク作成プログラムを用いて作成された他の記録媒体９ａを用いて、更に他の記録媒体９ｂに画像データを記録する際に、書き込み対象となる画像データが記録された記録媒体９の提供元の媒体提供者を判別すると共に、他の記録媒体９ｂが特定の記録媒体であるかを判別し、他の記録媒体９ｂが特定の記録媒体である場合には、他の記録媒体９ｂの利用によって生じる利益を上記提供元に分配するように指示する利益分配指示情報を作成して管理サーバ１２にアップロードするため、ディスク作成プログラムが順次コピーされた場合でも、貢献度に応じて適正に利益を分配することができ、画像データを利用した処理の促進を図ることができる。
【００８６】
なお、上記各実施例では、ディスク作成プログラムを用いて他の記録媒体９ａ、９ｂを作成する場合や、他の記録媒体９ａ、９ｂやアプリケーションを購入する場合を示したが、本発明は上記実施例に限定されるものではなく、画像データや音楽データなどの任意のデータに関する任意の処理に対して、該処理に伴って発生する利益をその貢献度に応じて分配する場合に同様に適用することができる。また、
【産業上の利用可能性】
【００８７】
本発明は、任意の種類のデータに関する処理に対する利益を分配する制御を行うプログラム及びシステム並びに方法に適用することができる。
【図面の簡単な説明】
【００８８】
【図１】本発明の第１の実施例に係る利益分配システムの構成を模式的に示す図である。
【図２】本発明の第１の実施例に係る制御装置の他の構成を示す図である。
【図３】本発明の第１の実施例に係る制御装置の他の構成を示す図である。
【図４】本発明の第１の実施例に係る制御装置の他の構成を示す図である。
【図５】本発明の第１の実施例に係る制御装置の他の構成を示す図である。
【図６】本発明の第１の実施例に係る制御装置の他の構成を示す図である。
【図７】本発明の第１の実施例に係る制御装置の手段を示すブロック図である。
【図８】本発明の第１の実施例に係る利益分配システムを用いた利益分配手順を示すフローチャート図である。
【図９】本発明の第１の実施例に係る記録媒体のデータ記録構造を示す図である。
【図１０】本発明の第１の実施例に係る制御装置のデータ記録構造を示す図である。
【図１１】本発明の第１の実施例に係る他の記録媒体のデータ記録構造を示す図である。
【図１２】本発明の第１の実施例に係る制御装置の表示手段に表示される画面構成例（処理画面）を示す図である。
【図１３】本発明の第１の実施例に係る制御装置の表示手段に表示される画面構成例（スライドショー作成画面）を示す図である。
【図１４】本発明の第１の実施例に係る記録媒体の記録領域を模式的に示す図である。
【図１５】記録媒体（ＣＤ−Ｒ）の構造を模式的に示す図である。
【図１６】本発明の第２の実施例に係る制御装置の手段を示すブロック図である。
【図１７】本発明の第２の実施例に係る利益分配システムを用いた利益分配手順を示すフローチャート図である。
【図１８】本発明の第３の実施例に係る利益分配システムの構成を模式的に示す図である。
【図１９】本発明の第３の実施例に係る利益分配システムを用いた利益分配手順を示すフローチャート図である。
【図２０】本発明の第３の実施例に係る記録媒体のデータ記録構造を示す図である。
【図２１】本発明の第３の実施例に係る制御装置のデータ記録構造を示す図である。
【図２２】本発明の第３の実施例に係る他の記録媒体のデータ記録構造を示す図である。
【符号の説明】
【００８９】
１  制御装置
２、３２  メディア装填部
３、３３  機器接続部
４、３４  記録媒体装填部
５、３５  表示手段
６、３６  操作手段
７  デジタルカメラ
７ａ  カメラ付き携帯電話機
８、３８  メディア
９  記録媒体
９ａ、９ｂ  他の記録媒体
１０、３９  ＨＤＤ
１１  通信ネットワーク
１２  管理サーバ
１３  データ入力手段
１４  画像データ判別手段
１５  記録媒体判別手段
１６  利益分配指示情報作成手段
１７  データ生成手段
１８  記録制御手段
２０  処理画面
２１  タグ表示欄
２２  一覧表示欄
２３  処理選択欄
２４  スライドショー作成画面
２５  画像選択画面
２６  手順表示欄
２７  プログラム判別手段
３１  他の制御装置
【図１】
2007226404.tif 000003
【図２】
2007226404.tif 000004
【図３】
2007226404.tif 000005
【図４】
2007226404.tif 000006
【図５】
2007226404.tif 000007
【図６】
2007226404.tif 000008
【図７】
2007226404.tif 000009
【図８】
2007226404.tif 000010
【図９】
2007226404.tif 000011
【図１０】
2007226404.tif 000012
【図１１】
2007226404.tif 000013
【図１２】
2007226404.tif 000014
【図１３】
2007226404.tif 000015
【図１４】
2007226404.tif 000016
【図１５】
2007226404.tif 000017
【図１６】
2007226404.tif 000018
【図１７】
2007226404.tif 000019
【図１８】
2007226404.tif 000020
【図１９】
2007226404.tif 000021
【図２０】
2007226404.tif 000022
【図２１】
2007226404.tif 000023
【図２２】
2007226404.tif 000024